(57)【特許請求の範囲】
【請求項１】
第（ｎ−１）フレームの第（ｎ−１）原（ｒａｗ）画像信号に対応する第（ｎ−１）変
換信号を用いて第ｎフレームの第ｎ原画像信号を補正し、第ｎ補正画像信号を出力する信
号処理部であって、前記第（ｎ−１）原画像信号、前記第ｎ原画像信号および前記第ｎ補正画像信号はａビットであり、前記第（ｎ−１）変換信号は前記ａビットより小さいｂビット（ａ＞ｂ）を有する信号処理部と、
前記第ｎ補正画像信号に対応する画像が表示される液晶パネルとを有し、
前記第（ｎ−１）原画像信号および前記第ｎ原画像信号に対応する前記第ｎ補正画像信
号が保存されるルックアップテーブルをさらに有し、
前記信号処理部は、前記第ｎ補正画像信号を用いて前記第（ｎ−１）原画像信号を第（ｎ
−１）変換信号にエンコードすることを特徴とする液晶表示装置。
【請求項２】
前記信号処理部は、前記第ｎ原画像信号の入力を受けて保存し、前記第（ｎ−１）原画像信号を出力する第１メモリと、
前記第（ｎ−１）原画像信号を第（ｎ−１）変換信号にエンコードするエンコーダと、
前記第（ｎ−１）変換信号を保存する第２メモリと、
前記第（ｎ−１）変換信号を用いて前記第ｎ原画像信号を補正し、前記第ｎ補正画像信号を出力するデコーダとを含むことを特徴とする請求項１に記載の液晶表示装置。
【請求項３】
前記第（ｎ−１）原画像信号および前記第ｎ原画像信号に対応する前記第ｎ補正画像信号が保存されたルックアップテーブルをさらに有し、
前記エンコーダは、前記ルックアップテーブルから前記第ｎ補正画像信号を読み出して、読み出された前記第ｎ補正画像信号を用いて前記第（ｎ−１）原画像信号を前記第（ｎ−１）変換信号にエンコードすることを特徴とする請求項２に記載の液晶表示装置。
【請求項４】
前記第（ｎ−１）変換信号および前記第ｎ原画像信号に対応する前記第ｎ補正画像信号が保存されたルックアップテーブルをさらに有し、
前記デコーダは、前記ルックアップテーブルから前記第ｎ補正画像信号を読み出すことを特徴とする請求項２に記載の液晶表示装置。
【請求項５】
前記信号処理部に入力される前記第ｎ原画像信号の周波数と前記信号処理部から出力される前記第ｎ補正画像信号の周波数とが互いに異なることを特徴とする請求項１に記載の液晶表示装置。
【請求項６】
前記第ｎ原画像信号の階調度（ｇｒａｙｓｃａｌｅ  ｌｅｖｅｌ）が前記第（ｎ−１）原画像信号の階調度より大きい時、前記第ｎ補正画像信号の階調度は前記第ｎ原画像信号の階調度より大きいか又は同じであることを特徴とする請求項１に記載の液晶表示装置。
【請求項７】
前記第ｎ原画像信号の階調度が前記第（ｎ−１）原画像信号の階調度より小さい時、前記第ｎ補正画像信号の階調度は前記第ｎ原画像信号の階調度より小さいか又は同じであることを特徴とする請求項１に記載の液晶表示装置。
【請求項８】
第ｎフレームの第ｎ原画像信号の入力を受けて保存し、第（ｎ−１）フレームの第（ｎ−１）原画像信号を出力する第１メモリと、
前記第（ｎ−１）原画像信号を第（ｎ−１）変換信号にエンコードするエンコーダと、
前記第（ｎ−１）変換信号を保存する第２メモリと、
前記第（ｎ−１）変換信号と前記第ｎ原画像信号とを用いて第ｎ補正画像信号を出力するデコーダとを有し、
前記第（ｎ−１）原画像信号、前記第ｎ原画像信号および前記第ｎ補正画像信号は、ａビットであり、前記第（ｎ−１）変換信号は前記ａビットより小さいｂビット（ａ＞ｂ）であり、
前記第（ｎ−１）原画像信号および前記第ｎ原画像信号に対応する前記第ｎ補正画像信号が保存されるルックアップテーブルをさらに有し、
前記第ｎ補正画像信号を用いて前記第（ｎ−１）原画像信号を第（ｎ−１）変換信号にエンコードすることを特徴とする信号処理装置。
【請求項９】
前記第（ｎ−１）変換信号および前記第ｎ原画像信号に対応する前記第ｎ補正画像信号が保存されたルックアップテーブルをさらに有し、
前記デコーダは、前記ルックアップテーブルから前記第ｎ補正画像信号を読み出すことを特徴とする請求項８に記載の信号処理装置。
【請求項１０】
前記第１メモリに入力される前記第ｎ原画像信号の周波数と前記デコーダから出力される前記第ｎ補正画像信号の周波数とが互いに異なることを特徴とする請求項８に記載の信号処理装置。
【請求項１１】
前記第ｎ原画像信号の階調度が前記第（ｎ−１）原画像信号の階調度より大きい時、前記第ｎ補正画像信号の階調度は、前記第ｎ原画像信号の階調度より大きいか又は同じであることを特徴とする請求項８に記載の信号処理装置。
【請求項１２】
前記第ｎ原画像信号の階調度が前記第（ｎ−１）原画像信号の階調度より小さい時、前記第ｎ補正画像信号の階調度は、前記第ｎ原画像信号の階調度より小さいか又は同じであることを特徴とする請求項９に記載の信号処理装置。
【請求項１３】
第（ｎ−１）フレームの第（ｎ−１）原画像信号に対応する第（ｎ−１）変換信号および第ｎフレームの第ｎ原画像信号を供給する段階と、
第ｎ補正画像信号を供給するために、前記第（ｎ−１）変換信号を用いて前記第ｎ原画像信号を補正する段階と、
第ｎ補正画像信号に対応する画像を表示する段階とを有し、
前記第（ｎ−１）原画像信号、前記第ｎ原画像信号および前記第ｎ補正画像信号はａビットであり、前記第（ｎ−１）変換信号は前記ａビットより小さいｂビット（ａ＞ｂ）であり、
前記第（ｎ−１）変換信号を供給する段階は、前記第ｎ補正画像信号を用いて前記第（ｎ−１）原画像信号を前記第（ｎ−１）変換信号にエンコードする段階を含むことを特徴とする液晶表示装置の駆動方法。
【請求項１４】
前記第ｎ原画像信号の階調度が前記第（ｎ−１）原画像信号の階調度より大きい時、前記第ｎ補正画像信号の階調度は前記第ｎ原画像信号の階調度より大きいか又は同じであることを特徴とする請求項１３に記載の液晶表示装置の駆動方法。
【請求項１５】
前記第ｎ原画像信号の階調度が前記第（ｎ−１）原画像信号の階調度より小さい時、前記第ｎ補正画像信号の階調度は前記第ｎ原画像信号の階調度より小さいか又は同じであることを特徴とする請求項１３に記載の液晶表示装置の駆動方法。
【発明の詳細な説明】
【技術分野】
【０００１】
本発明は、信号処理装置及びこれを含む液晶表示装置とその駆動方法に関し、より詳しくは、表示品質を向上させながらも小型化することのできる信号処理装置及びこれを含む液晶表示装置とその駆動方法に関する。
【背景技術】
【０００２】
液晶表示装置は、薄膜トランジスタおよび画素電極が形成された第１表示板と、共通電極が形成された第２表示板と、第１および第２表示板の間に介在する液晶層とを含む。液晶表示装置の表示品質は、液晶の応答速度に影響を受ける。よって、近年では、以前のフレームの画像信号と現在のフレームの画像信号とを比較して、現在のフレームの画像信号を補正する駆動方法が提示されている。このような方式によれば、以前のフレームの画像信号を１つのフレームの間保存するメモリが要求される（例えば、特許文献１参照）。
【０００３】
しかし表示品質が向上することによって以前のフレームの画像信号のビット数が増加し、よってメモリのサイズも大きくなるという問題がある。
【０００４】
【特許文献１】大韓民国特許出願公開第１０−２００７−０００８３７号明細書
【発明の開示】
【発明が解決しようとする課題】
【０００５】
そこで、本発明は上記従来の液晶表示装置における問題点に鑑みてなされたものであって、本発明の目的は、表示品質を向上させながら小型化できる信号処理装置を提供することにある。
【０００６】
また、本発明の他の目的は、表示品質を向上させながら小型化できる液晶表示装置を提供することにある。
また、本発明の他の目的は、表示品質を向上させながら小型化できる液晶表示装置の駆動方法を提供することにある。
【課題を解決するための手段】
【０００７】
上記目的を達成するためになされた本発明による液晶表示装置は、第（ｎ−１）フレームの第（ｎ−１）原（ｒａｗ）画像信号に対応する第（ｎ−１）変換信号を用いて第ｎフレームの第ｎ原画像信号を補正し、第ｎ補正画像信号を出力する信号処理部であって、前記第（ｎ−１）原画像信号、前記第ｎ原画像信号および前記第ｎ補正画像信号はａビットであり、前記第（ｎ−１）変換信号は前記ａビットより小さいｂビット（ａ＞ｂ）を有する信号処理部と、前記第ｎ補正画像信号に対応する画像が表示される液晶パネルとを有し、
前記第（ｎ−１）原画像信号および前記第ｎ原画像信号に対応する前記第ｎ補正画像信号が保存されるルックアップテーブルをさらに有し、前記信号処理部は、前記第ｎ補正画像信号を用いて前記第（ｎ−１）原画像信号を第（ｎ−１）変換信号にエンコードすることを特徴とする。
【０００８】
上記目的を達成するためになされた本発明による信号処理装置は、第ｎフレームの第ｎ原画像信号の入力を受けて保存し、第（ｎ−１）フレームの第（ｎ−１）原画像信号を出力する第１メモリと、前記第（ｎ−１）原画像信号を第（ｎ−１）変換信号にエンコードするエンコーダと、前記第（ｎ−１）変換信号を保存する第２メモリと、前記第（ｎ−１）変換信号と前記第ｎ原画像信号とを用いて第ｎ補正画像信号を出力するデコーダとを有し、前記第（ｎ−１）原画像信号、前記第ｎ原画像信号および前記第ｎ補正画像信号は、ａビットであり、前記第（ｎ−１）変換信号は前記ａビットより小さいｂビット（ａ＞ｂ）であり、前記第（ｎ−１）原画像信号および前記第ｎ原画像信号に対応する前記第ｎ補正画像信号が保存されるルックアップテーブルをさらに有し、前記第ｎ補正画像信号を用いて前記第（ｎ−１）原画像信号を第（ｎ−１）変換信号にエンコードすることを特徴とする。
【０００９】
上記目的を達成するためになされた本発明による液晶表示装置の駆動方法は、第（ｎ−１）フレームの第（ｎ−１）原画像信号に対応する第（ｎ−１）変換信号および第ｎフレームの第ｎ原画像信号を供給する段階と、第ｎ補正画像信号を供給するために、前記第（ｎ−１）変換信号を用いて前記第ｎ原画像信号を補正する段階と、第ｎ補正画像信号に対応する画像を表示する段階とを有し、前記第（ｎ−１）原画像信号、前記第ｎ原画像信号および前記第ｎ補正画像信号はａビットであり、前記第（ｎ−１）変換信号は前記ａビットより小さいｂビット（ａ＞ｂ）であり、前記第（ｎ−１）変換信号を供給する段階は、前記第ｎ補正画像信号を用いて前記第（ｎ−１）原画像信号を前記第（ｎ−１）変換信号にエンコードする段階を含むことを特徴とする。
【発明の効果】
【００１０】
本発明に係る信号処理装置及びこれを含む液晶表示装置とその液晶表示装置の駆動方法によれば、表示品質を向上させながらも小型化することができるという効果がある。
【発明を実施するための最良の形態】
【００１１】
次に、本発明に係る信号処理装置及びこれを含む液晶表示装置とその液晶表示装置の駆動方法を実施するための最良の形態の具体例を図面を参照しながら説明する。
【００１２】
しかし、本発明は以下にて開示する実施形態に限定されず、互いに異なる多様な形態によって具現されることができ、単に本実施形態は本発明の開示が完全なものとなるようにし、本発明が属する技術分野で通常の知識を有する者に発明の範疇を完全に知らせるために提供されるものであって、本発明は請求項の範囲によってのみ定義されるものである。  明細書の全体に亘り、同一参照符号は同一構成要素を示す。
以下にて信号処理装置は信号処理部と呼称する。
【００１３】
図１〜図４を参照して、本発明の実施形態に係る信号処理部（信号処理装置）、これを含む液晶表示装置および液晶表示装置の駆動方法を説明する。
【００１４】
図１は、本発明の実施形態に係る液晶表示装置のブロック図であり、図２は図１の一画素の等価回路図であり、図３は図１の液晶表示装置の動作を説明するための信号図であり、図４は本発明の実施形態に係る信号処理部（信号処理装置）、これを含む液晶表示装置および液晶表示装置の駆動方法を説明するための概念図である。
【００１５】
図１を参照すれば、液晶表示装置１０は、液晶パネル３００、ゲートドライバ４００、データドライバ５００および信号処理部６００を含む。
【００１６】
液晶パネル３００は、等価回路で見る時に複数の表示信号線（Ｇ１〜Ｇｎ、Ｄ１〜Ｄｍ）とこれに接続されて、行列状に配列された複数の画素ＰＸを含む。
【００１７】
ここで、図２を参照すれば、液晶パネル３００は互いに向かい合う第１表示板１００、第２表示板２００および２つの表示板間に介在する液晶１５０を含む。
【００１８】
表示信号線（Ｇ１〜Ｇｎ、Ｄ１〜Ｄｍ）は、ゲート信号を伝達する複数のゲート線Ｇ１〜Ｇｎとデータ信号を伝達する複数のデータ線Ｄ１〜Ｄｍを含む。
【００１９】
ゲート線Ｇ１〜Ｇｎは、概略行方向に伸長されて互いが略平行であり、データ線Ｄ１〜Ｄｍは概略縦方向に伸長されて互いが略平行する。
【００２０】
図２に図１の一画素に対する等価回路を示した。
第１表示板１００の画素電極ＰＥと対向するように第２表示板２００の共通電極ＣＥの一部領域に色フィルタＣＦが形成され得る。各画素、例えばｉ番目（ｉ＝１〜ｎ）のゲート線Ｇｉとｊ番目（ｊ＝１〜ｍ）のデータ線Ｄｊに接続された画素は信号線Ｇｉ、Ｄｊに接続されたスイッチング素子Ｑとこれに接続された液晶キャパシタＣｌｃおよび蓄積キャパシタＣｓｔを含む。
【００２１】
一方、図１に示したゲートドライバ４００は、信号処理部６００からゲート制御信号ＣＯＮＴ１が供給され、ゲート信号をゲート線Ｇ１〜Ｇｎに印加する。ここで、ゲート信号はゲートオン／オフ電圧発生部（図示なし）から供給されたゲートオン電圧Ｖｏｎとゲートオフ電圧Ｖｏｆｆの組み合わせによってなされる。ゲート制御信号ＣＯＮＴ１は、ゲートドライバ４００の動作を制御するための信号であり、ゲートドライバ４００の動作を開始する垂直開始信号、ゲートオン電圧の出力時期を決定するゲートクロック信号およびゲートオン電圧のパルス幅を決定する出力イネーブル信号などを含むことができる。
【００２２】
データドライバ５００は、信号処理部６００からデータ制御信号ＣＯＮＴ２が供給され、画像データ電圧をデータ線Ｄ１〜Ｄｍに印加する。画像データ電圧は、第ｎ補正画像信号Ｇｎ’に該当する階調電圧発生部８００から供給された階調電圧である。データ制御信号ＣＯＮＴ２は、データドライバ５００の動作を制御する信号であり、データドライバ５００の動作を開始する水平開始信号、データ電圧の出力を指示する出力指示信号などを含むことができる。
【００２３】
ゲートドライバ４００及び／またはデータドライバ５００は、複数の駆動集積回路チップとして液晶パネル３００の上に直接装着したり、フレキシブル印刷回路フィルム（図示なし）の上に装着したり、ＴＣＰ（ｔａｐｅ  ｃａｒｒｉｅｒ  ｐａｃｋａｇｅ）の形態で液晶パネル３００に取り付けたりすることもできる。これとは異なり、ゲートドライバ４００及び／またはデータドライバ５００は、表示信号線（Ｇ１〜Ｇｎ，Ｄ１〜Ｄｍ）とスイッチング素子Ｑなどと共に液晶パネル３００に集積することもできる。または、後述する信号処理部６００と１つのチップ上に集積することもできる。
【００２４】
一方、図１の信号処理部６００は、第ｎフレームの第ｎ原画像信号Ｇｎの入力を受けて第ｎ補正画像信号Ｇｎ’を出力する。また、動作に必要な複数のクロック信号（図示なし）が入力され得る。ここで、第ｎ原画像信号Ｇｎおよび第ｎ補正画像信号Ｇｎ’はａビットの信号であり、第ｎ補正画像信号Ｇｎ’は液晶の応答速度を向上させるための信号であり得る。例えば、第ｎ原画像信号Ｇｎおよび第ｎ補正画像信号Ｇｎ’が各々６４階調度（ｇｒａｙｓｃａｌｅ  ｌｅｖｅｌ）である場合、ａは「６」となり得る。以下、第ｎ原画像信号Ｇｎおよび第ｎ補正画像信号Ｇｎ’が６４階調度である場合を例に挙げて説明するが、これらに限定されるものではない。
【００２５】
図３および図４を参照して、より具体的に説明する。図３には、フレームに対する第ｎ原画像信号Ｇｎおよび第ｎ補正画像信号Ｇｎ’の階調度が各々示されている。第ｎ原画像信号Ｇｎの階調度は、第ｉフレームで大きく可変する。すなわち、第ｎ原画像信号Ｇｎは、第（ｉ−１）フレームで第１階調度Ｇ１を有し、第ｉフレームおよび第（ｉ＋１）フレームで第１階調度Ｇ１より大きい第２階調度Ｇ２を有する。第ｎ補正画像信号Ｇｎ’は、第ｉフレームで第ｎ原画像信号Ｇｎの階調度より、さらに大きい階調度を有する。すなわち、第ｎ補正画像信号Ｇｎ’は第（ｉ−１）フレームおよび第（ｉ＋１）フレームで各々第１階調度Ｇ１および第２階調度Ｇ２を有し、第ｉフレームで第ｎ補正画像信号Ｇｎ’は第２階調度Ｇ２より大きい第３階調度Ｇ３を有する。
【００２６】
第ｉフレームにおいて、信号処理部６００が第２階調度Ｇ２より大きい第３階調度Ｇ３を有する第ｎ補正画像信号Ｇｎ’を供給する時、第ｎ原画像信号Ｇｎを供給する場合より、さらに大きい画像データ電圧が図２の液晶キャパシタＣｌｃに印加される。液晶キャパシタＣｌｃに印加される画像データ電圧の大きさが大きいほど、画像データ電圧が液晶キャパシタＣｌｃに充電される時間が短縮される。すなわち、画像データ電圧の大きさが大きいほど、液晶の応答速度が向上して表示品質が向上する。
【００２７】
すなわち、第ｎフレームの第ｎ原画像信号Ｇｎの階調度が第（ｎ−１）フレームの第（ｎ−１）原画像信号Ｇ（ｎ−１）の階調度より大きい時、第ｎ補正画像信号Ｇｎ’の階調度は第ｎ原画像信号Ｇｎの階調度より大きいか又は同じになり得る。または、第ｎ原画像信号Ｇｎの階調度が第（ｎ−１）原画像信号Ｇ（ｎ−１）の階調度より小さい時、第ｎ補正画像信号Ｇｎ’の階調度は第ｎ原画像信号Ｇｎの階調度より小さいか又は同じであり得る。
【００２８】
このような方式によって、液晶の応答速度を向上させるために、本実施形態においては、図４に示すように、第（ｎ−１）フレームの第（ｎ−１）原画像信号Ｇ（ｎ−１）に対応する第（ｎ−１）変換信号ＯＤＥを用いて第ｎフレームの第ｎ原画像データを補正し、第ｎ補正画像信号Ｇｎ’を出力する。ここで、第（ｎ−１）原画像信号Ｇ（ｎ−１）、第ｎ原画像信号Ｇｎおよび第ｎ補正画像信号Ｇｎ’はａビットであり、第（ｎ−１）変換信号ＯＤＥはａビットより小さいｂビット（ａ＞ｂ）である。
【００２９】
すなわち、メモリはａビットの第（ｎ−１）原画像信号Ｇ（ｎ−１）を保存せずにｂビットの第（ｎ−１）変換信号ＯＤＥを保存するため、メモリのサイズを減らすことができる。したがって、信号処理部（信号処理装置）、これを含む液晶表示装置を小型化することができる。以下、本発明による信号処理部（信号処理装置）、これを含む液晶表示装置および液晶表示装置の駆動方法を具体的な実施形態によって詳細に説明する。
【００３０】
図５〜図８を参照して、本発明の一実施形態に係る信号処理部（信号処理装置）、これを含む液晶表示装置および液晶表示装置の駆動方法について説明する。図５は本発明の一実施形態に係る信号処理部（信号処理装置）、これを含む液晶表示装置および液晶表示装置の駆動方法を説明するための概念図であり、図６は本発明の一実施形態に係る信号処理部（信号処理装置）、これを含む液晶表示装置および液晶表示装置の駆動方法を説明するためのブロック図であり、図７は図６の第１ルックアップテーブル（ＬＵＴ１）を説明するための表であり、図８および図９は図６に示すエンコーダを説明するための表である。
【００３１】
まず、図５を参照すれば、第１ルックアップテーブルＬＵＴ１と第２ルックアップテーブルＬＵＴ２とを示している。第１ルックアップテーブルＬＵＴ１は、第（ｎ−１）原画像信号Ｇ（ｎ−１）および第ｎ原画像信号Ｇｎに対応する第ｎ補正画像信号Ｇｎ’の階調度を示す。例えば、第（ｎ−１）原画像信号Ｇ（ｎ−１）の階調度が「４７」であり、第ｎ原画像信号Ｇｎの階調度が「１５」である時、第ｎ補正画像信号Ｇｎ’の階調度は「５」であり得る。第２ルックアップテーブルＬＵＴ２は、第（ｎ−１）変換信号ＯＤＥおよび第ｎ原画像信号Ｇｎに対応する第ｎ補正画像信号Ｇｎ’の階調度を示す。例えば、第（ｎ−１）変換信号ＯＤＥの階調度が「２１」であり、第ｎ原画像信号Ｇｎの階調度が「１５」である時、第ｎ補正画像信号Ｇｎ’の階調度は「５」であり得る。ここで、第（ｎ−１）原画像信号Ｇ（ｎ−１）の階調度は「４７」であるため、２進数では６ビットで表現される。第（ｎ−１）変換信号ＯＤＥの階調度は「２１」であるため、２進数では５ビットで表現される。
【００３２】
本実施形態において、信号処理部６００は第（ｎ−１）原画像信号Ｇ（ｎ−１）を第（ｎ−１）変換信号ＯＤＥにエンコードし、第（ｎ−１）変換信号ＯＤＥを保存して、これを用いて第ｎ原画像信号Ｇｎを補正する。この時、信号処理部６００が、第（ｎ−１）原画像信号Ｇ（ｎ−１）を保存せずに、第（ｎ−１）原画像信号Ｇ（ｎ−１）のビットサイズより小さいビットサイズの第（ｎ−１）変換信号ＯＤＥを保存するため、信号処理部６００内部のメモリのサイズを減らすことができる。
【００３３】
図６〜図９を参照して上述の内容をより具体的に説明する。
図６を参照すると、信号処理部６００は第１メモリ６１０、エンコーダ６２０、第１ルックアップテーブル（ＬＵＴ１）６３０、第２メモリ６４０およびデコーダ６５０を含む。ただし、第１ルックアップテーブル（ＬＵＴ１）６３０は、信号処理部６００の外部に具備することもできる。
【００３４】
第１メモリ６１０は、第ｎ原画像信号Ｇｎの入力を受けて保存し、第（ｎ−１）原画像信号Ｇ（ｎ−１）をエンコーダ６２０に出力する。例えば、第（ｎ−１）原画像信号Ｇ（ｎ−１）が保存されたアドレスに第ｎ原画像信号Ｇｎが保存される。すなわち、第１メモリ６１０の１つのアドレスに対して、読み出し（ｒｅａｄ）動作と書き込み（ｗｒｉｔｅ）動作が連続的になされる。
【００３５】
また、第１メモリ６１０は、第ｎ原画像信号Ｇｎをデコーダ６５０に出力する。ここで、信号処理部６００に入力される第ｎ原画像信号Ｇｎの周波数と信号処理部６００から出力される第ｎ補正画像信号Ｇｎ’の周波数は異なり得る。例えば、第ｎ補正画像信号Ｇｎ’は、信号処理部６００から６０Ｈｚで出力され得る。第ｎ原画像信号Ｇｎは、６０Ｈｚより低い周波数、例えば１０Ｈｚで信号処理部６００に入力され得る。または、信号処理部６００に入力される第ｎ原画像信号Ｇｎの周波数は可変的であり得る。
【００３６】
すなわち、第１メモリ６１０は、第ｎ補正画像信号Ｇｎ’が信号処理部６００から出力された時の周波数より低い周波数で入力される第ｎ原画像信号Ｇｎの入力を受けて保存する。または可変的な周波数で入力される第ｎ原画像信号Ｇｎの入力を受けて保存する。１つのフレームの第ｎ原画像信号Ｇｎがすべて保存された後、一定の周波数で、例えば６０Ｈｚで各第ｎ原画像信号Ｇｎをデコーダ６５０に出力することができる。
【００３７】
エンコーダ６２０は、第（ｎ−１）原画像信号Ｇ（ｎ−１）を第（ｎ−１）変換信号ＯＤＥにエンコードする。すなわち、エンコーダ６２０は、第（ｎ−１）原画像信号Ｇ（ｎ−１）と第ｎ原画像信号Ｇｎの入力を受け、第（ｎ−１）原画像信号Ｇ（ｎ−１）および第ｎ原画像信号Ｇｎに対応する第ｎ補正画像信号Ｇｎ’を第１ルックアップテーブル（ＬＵＴ１）６３０から読み出して、読み出された第ｎ補正画像信号Ｇｎ’を用いて第（ｎ−１）原画像信号Ｇ（ｎ−１）を第（ｎ−１）変換信号ＯＤＥにエンコードする。
【００３８】
ここで、第（ｎ−１）原画像信号Ｇ（ｎ−１）はａビットであり、第（ｎ−１）変換信号ＯＤＥはａビットより小さいｂビットである。エンコーダ６２０が第ｎ補正画像信号Ｇｎ’を用いて第（ｎ−１）原画像信号Ｇ（ｎ−１）を第（ｎ−１）変換信号ＯＤＥにエンコードする過程は、図７〜図９を参照しながら後述する。
【００３９】
第２メモリ６４０は、ｂビットの第（ｎ−１）変換信号ＯＤＥを保存する。そして、第１メモリ６１０が第ｎ原画像信号Ｇｎをデコーダ６５０に供給する時、第２メモリ６４０も第（ｎ−１）変換信号ＯＤＥをデコーダ６５０に供給する。
【００４０】
デコーダ６５０は、第ｎ原画像信号Ｇｎと第（ｎ−１）変換信号ＯＤＥの入力を受け、第（ｎ−１）変換信号ＯＤＥを用いて第ｎ原画像信号Ｇｎを補正し、第ｎ補正画像信号Ｇｎ’を出力する。デコーダ６５０のこのような動作に対する詳細な説明は後述する。
【００４１】
上述したように、第ｎ補正画像信号Ｇｎ’は、第ｎ原画像信号Ｇｎおよび第（ｎ−１）原画像信号Ｇ（ｎ−１）によって決定されるため（図５参照）、第（ｎ−１）原画像信号Ｇ（ｎ−１）の代わりに第（ｎ−１）変換信号ＯＤＥを用いることによって、信号処理部６００の内部のメモリサイズを減らすことができる。
【００４２】
次に、図６〜図９を参照してエンコーダ６２０の動作を詳細に説明する。
【００４３】
エンコーダ６２０は、一対の第（ｎ−１）原画像信号Ｇ（ｎ−１）と第ｎ原画像信号Ｇｎに対応する第ｎ補正画像信号Ｇｎ’を第１ルックアップテーブル（ＬＵＴ１）６３０から読み出す。
【００４４】
第１ルックアップテーブル（ＬＵＴ１）６３０は、図７に示す通りである。図７は、第ｎ原画像信号Ｇｎの階調度が「１５」である場合と「２３」である場合とが例に示されている。図７を参照すると、第ｎ原画像信号Ｇｎの階調度が「１５」であれば、第（ｎ−１）原画像信号Ｇ（ｎ−１）の階調度が「０」である時、第ｎ補正画像信号Ｇｎ’の階調度は最大の「２５」であり、第（ｎ−１）原画像信号Ｇ（ｎ−１）の階調度が「６３」である時、第ｎ補正画像信号Ｇｎ’の階調度は最小の「２」となる。第（ｎ−１）原画像信号Ｇ（ｎ−１）の階調度が「０」より大きくて「６３」より小さければ、第ｎ補正画像信号Ｇｎ’の階調度は「２５」より小さくて「０」より大きい値になる。
【００４５】
また第ｎ原画像信号Ｇｎの階調度が「２３」であれば、第（ｎ−１）原画像信号Ｇ（ｎ−１）の階調度が「０」である時、第ｎ補正画像信号Ｇｎ’の階調度は最大の「３５」であり、第（ｎ−１）原画像信号Ｇ（ｎ−１）の階調度が「６３」である時に最小の「３」になる。第（ｎ−１）原画像信号Ｇ（ｎ−１）の階調度が「０」より大きくて「６３」より小さければ、第ｎ補正画像信号Ｇｎ’の階調度は「３５」より小さくて「３」より大きい値になる。
【００４６】
図８を参照すると、第ｎ原画像信号Ｇｎに対して第ｎ補正画像信号Ｇｎ’の階調度が順次羅列されている。すなわち、第ｎ原画像信号Ｇｎの階調度が「１５」である場合、「２５」から「２」まで２４個の第ｎ補正画像信号Ｇｎ’の階調度が順次羅列され、最大値の「２５」が第（ｎ−１）変換信号ＯＤＥの１と対応し、最小値の「２」が第（ｎ−１）変換信号ＯＤＥの「２４」と対応する。
【００４７】
また、第ｎ原画像信号Ｇｎの階調度が「２３」である場合、「３５」から「３」まで３３個の第ｎ補正画像信号Ｇｎ’の階調度が順次羅列され、最大値の「３５」が第（ｎ−１）変換信号ＯＤＥの「１」と対応し、最小値の「３」が第（ｎ−１）変換信号ＯＤＥの「３３」と対応する。ただし、第（ｎ−１）変換信号ＯＤＥが「０」である場合には、第ｎ補正画像信号Ｇｎ’は第ｎ原画像信号Ｇｎと同一であり得る。すなわち、エンコーダ６２０は、次の数式（１）に従って第（ｎ−１）原画像信号Ｇ（ｎ−１）を第（ｎ−１）変換信号ＯＤＥにエンコードする。
【００４８】
（数１）
ＯＤＥ＝Ｇｎ’＿ｍａｘ−Ｇｎ’＋１      ・・・（１）
（ここで、Ｇｎ’＿ｍａｘは、第ｎ原画像信号Ｇｎに対する第ｎ補正画像信号Ｇｎ’の階調度の最大値である。）
【００４９】
例えば、第ｎ原画像信号Ｇｎの階調度が「１５」であり、第（ｎ−１）原画像信号Ｇ（ｎ−１）の階調度が「４７」である場合、第ｎ補正画像信号Ｇｎ’の階調度は、図７に示すように「５」となる。図８および数式（１）によれば、エンコーダは、第ｎ原画像信号Ｇｎの階調度が「１５」である時、第ｎ補正画像信号Ｇｎ’の階調度を「５」にするため、階調度が「４７」である第（ｎ−１）原画像信号Ｇ（ｎ−１）を「２１」の階調度を有する第（ｎ−１）変換信号ＯＤＥにエンコードする。
【００５０】
また、第ｎ原画像信号Ｇｎの階調度が「２３」であり、第（ｎ−１）原画像信号Ｇ（ｎ−１）の階調度が「４７」である場合、第ｎ補正画像信号Ｇｎ’の階調度は、図７に示すように「１３」になる。図８および数式（１）によれば、エンコーダは、第ｎ原画像信号Ｇｎの階調度が「２３」である時、第ｎ補正画像信号Ｇｎ’の階調度を「１３」にするため、階調度が「４７」である第（ｎ−１）原画像信号Ｇ（ｎ−１）を「２３」の階調度を有する第（ｎ−１）変換信号ＯＤＥにエンコードする。
【００５１】
すなわち、第ｎ原画像信号Ｇｎの階調度が「１５」である時、エンコーダ６２０は、階調度が「４７」の第（ｎ−１）原画像信号Ｇ（ｎ−１）を第２メモリ６４０に供給する代りに、階調度が「２１」の第（ｎ−１）変換信号ＯＤＥを供給する。「４７」は、２進数で６ビットであり、「２１」は２進数で５ビットであるため、メモリサイズを減らすことができる。または、第ｎ原画像信号Ｇｎの階調度が「２３」である時、エンコーダ６２０は、階調度が「４７」の第（ｎ−１）原画像信号Ｇ（ｎ−１）を第２メモリ６４０に供給する代りに、階調度が「２３」の第（ｎ−１）変換信号ＯＤＥを供給する。「４７」は２進数で６ビットであり、「２３」は２進数で５ビットであるため、メモリサイズを減らすことができる。
【００５２】
ただし、図７で第ｎ原画像信号Ｇｎの階調度が「２３」であり、第（ｎ−１）原画像信号Ｇ（ｎ−１）の階調度が「６３」である時、エンコーダ６２０は階調度が「６３」である第（ｎ−１）原画像信号Ｇ（ｎ−１）を階調度が「３３」である第（ｎ−１）変換信号ＯＤＥにエンコードする。ここで、「３３」は２進数で６ビットであるため、メモリのサイズを減らすことができなくなる。
【００５３】
言い換えれば、第ｎ原画像信号Ｇｎの階調度が「１５」である時、第ｎ補正画像信号Ｇｎ’の階調度は２４種類であるため（図８参照）、各第ｎ補正画像信号Ｇｎ’に対応する第（ｎ−１）変換信号ＯＤＥは５ビットで表すことができる。しかし、第ｎ原画像信号Ｇｎの階調度が「２３」である時、第ｎ補正画像信号Ｇｎ’の階調度は３３種類であるため（図８参照）、第（ｎ−１）変換信号ＯＤＥは５ビットで表すことができない。
【００５４】
したがって、第ｎ原画像信号Ｇｎの階調度が「２３」である時、エンコーダ６２０は、図９に示す第２ルックアップテーブル（ＬＵＴ２）のように、第（ｎ−１）原画像信号Ｇ（ｎ−１）をエンコードする。図９を参照すると、第（ｎ−１）原画像信号Ｇ（ｎ−１）の階調度が「２３」であれば、第（ｎ−１）原画像信号Ｇ（ｎ−１）の階調度が「１５」である場合とは異なり、第（ｎ−１）変換信号ＯＤＥが順次増加するほど、第ｎ補正画像信号Ｇｎ’が２ずつ減少する。したがって、最小値である「３」の階調度を有する第ｎ補正画像信号Ｇｎ’は、「１７」の階調度を有する第（ｎ−１）変換信号ＯＤＥと対応する。すなわち、エンコーダ６２０は、第ｎ原画像信号Ｇｎの階調度が「２３」である時、次の数式（２）によって第（ｎ−１）原画像信号Ｇ（ｎ−１）をエンコードする。
【００５５】
（数２）
ＯＤＥ＝（Ｇｎ’＿ｍａｘ−Ｇｎ’）／２＋１      ・・・（２）
【００５６】
第ｎ原画像信号Ｇｎの階調度が「２３」であり、第（ｎ−１）原画像信号Ｇ（ｎ−１）の階調度が「６３」である場合、第ｎ補正画像信号Ｇｎ’の階調度は、図７に示すように「３」となる。図９および数式（２）によれば、エンコーダは、第ｎ原画像信号Ｇｎの階調度が「２３」である時、第ｎ補正画像信号Ｇｎ’の階調度を「３」にするため、階調度が「６３」である第（ｎ−１）原画像信号Ｇ（ｎ−１）を「１７」の階調度を有する第（ｎ−１）変換信号ＯＤＥにエンコードする。
【００５７】
整理して説明すれば、エンコーダ６２０は第２ルックアップテーブル（ＬＵＴ２）に示すように第（ｎ−１）原画像信号Ｇ（ｎ−１）を第（ｎ−１）変換信号ＯＤＥにエンコードする。例えば、第（ｎ−１）原画像信号Ｇ（ｎ−１）の階調度が「１５」であれば、数式（１）によって、第（ｎ−１）原画像信号Ｇ（ｎ−１）をエンコードして、第（ｎ−１）原画像信号Ｇ（ｎ−１）の階調度が「２３」であれば、数式（２）によって、第（ｎ−１）原画像信号Ｇ（ｎ−１）をエンコードする。
【００５８】
ここで、第（ｎ−１）変換信号ＯＤＥのビット数をより減らすために、エンコーダは次に示す数式（３）によって第（ｎ−１）原画像信号Ｇ（ｎ−１）をエンコードすることができる。
【００５９】
（数３）
ＯＤＥ＝（Ｇｎ’＿ｍａｘ−Ｇｎ’）／４＋１      ・・・（３）
【００６０】
次に、デコーダ６５０が第ｎ原画像信号Ｇｎと第（ｎ−１）変換信号ＯＤＥの入力を受けて第ｎ原画像信号Ｇｎを補正し、第ｎ補正画像信号Ｇｎ’を出力する動作過程を詳細に説明する。
【００６１】
まず、デコーダ６５０は第ｎ原画像信号Ｇｎによって、第（ｎ−１）原画像信号Ｇ（ｎ−１）が数式（１）〜数式（３）のいずれによってエンコードされたかを判断することができる。例えば、デコーダ６５０が、階調度が「１５」である第ｎ原画像信号Ｇｎが入力されれば、デコーダ６５０は第（ｎ−１）原画像信号Ｇ（ｎ−１）が数式（１）によってエンコードされたものと判断する。
【００６２】
または、階調度が「２３」である第ｎ原画像信号Ｇｎが入力されれば、デコーダ６５０は第（ｎ−１）原画像信号Ｇ（ｎ−１）が数式（２）によってエンコードされたものと判断する。
【００６３】
第（ｎ−１）原画像信号Ｇ（ｎ−１）が数式（１）によってエンコードされたものと判断すれば、デコーダ６５０は次のような数式（４）によって第ｎ補正画像信号Ｇｎ’を出力する。
【００６４】
（数４）
Ｇｎ’＝Ｇｎ’＿ｍａｘ−（ＯＤＥ−１）      ・・・（４）
【００６５】
数式（４）は数式（１）から導かれる。ここで、デコーダ６５０は、第ｎ原画像信号Ｇｎの入力を受け、第ｎ原画像信号Ｇｎに対する第ｎ補正画像信号Ｇｎ’の階調度の最大値のＧｎ’＿ｍａｘを第１ルックアップテーブル（ＬＵＴ１）から読み出すことができる。そして、デコーダ６５０は、第２メモリ６４０から読み出された第（ｎ−１）変換信号ＯＤＥおよび第１ルックアップテーブル（ＬＵＴ１）から読み出されたＧｎ’＿ｍａｘを用いて、数式（４）の計算によって第ｎ補正画像信号Ｇｎ’を出力することができる。
【００６６】
または、第（ｎ−１）原画像信号Ｇ（ｎ−１）が数式（２）によってエンコードされたものと判断すれば、デコーダ６５０は次のような数式（５）によって第ｎ補正画像信号Ｇｎ’を出力する。
【００６７】
（数５）
Ｇｎ’＝Ｇｎ’＿ｍａｘ−２×（ＯＤＥ−１）      ・・・（５）
【００６８】
数式（５）は数式（２）から導かれる。
または、第（ｎ−１）原画像信号Ｇ（ｎ−１）が数式（３）によってエンコードされたものと判断すれば、デコーダ６５０は次のような数式（６）によって第ｎ補正画像信号Ｇｎ’を出力する。
【００６９】
（数６）
Ｇｎ’＝Ｇｎ’＿ｍａｘ−４×（ＯＤＥ−１）      ・・・（６）
【００７０】
数式（６）は数式（３）から導かれる。
このようにデコーダ６５０は、数式（４）〜数式（６）のうちの１つによって、第ｎ補正画像信号Ｇｎ’を出力する。
【００７１】
このようなデコーダ６５０は上述したように、第２メモリ６４０から第（ｎ−１）変換信号ＯＤＥを読み出し、第２メモリ６４０に「０」を書き込むことができる。
これについてより具体的に説明すれば、図３において、信号処理部６００はｉフレームで第ｎ原補正画像信号より高い階調度の第ｎ補正画像信号Ｇｎ’を供給し、（ｉ＋１）フレームで第ｎ原画像信号Ｇｎと同一の階調度の第ｎ補正画像信号Ｇｎ’を供給する。
【００７２】
したがって、このような動作のために、デコーダ６５０はｉフレームでメモリから第（ｎ−１）変換信号ＯＤＥを読み出して第ｎ補正画像信号Ｇｎ’を出力し、読み出された第（ｎ−１）変換信号ＯＤＥが保存されたアドレスに「０」を書き込む。（ｉ＋１）フレームでデコーダ６５０はメモリから「０」の第（ｎ−１）変換信号ＯＤＥを読み出し、第２ルックアップテーブル（ＬＵＴ２）に示すように、第ｎ原画像信号Ｇｎをそのまま第ｎ補正画像信号Ｇｎ’として出力する。したがって、信号処理部６００は、図３のように動作することができる。
【００７３】
次に、図１０を参照して、本発明の他の実施形態に係る信号処理部（信号処理装置）、これを含む液晶表示装置および液晶表示装置の駆動方法を説明する。
【００７４】
図１０は、本発明の他の実施形態に係る信号処理部（信号処理装置）、これを含む液晶表示装置および液晶表示装置の駆動方法を説明するためのブロック図である。図６に示した構成要素と同一の機能を行う構成要素については、同一の図面符号を使用し、説明の便宜上、該当構成要素に対する詳細な説明は省略する。
【００７５】
図１０を参照すると、前述の実施形態とは異なり、信号処理部６０１は第２ルックアップテーブル（ＬＵＴ２）６６１をさらに含む。ここで、第２ルックアップテーブル（ＬＵＴ２）６６１は、図９に示したルックアップテーブルである。すなわち、デコーダ６５１は、数式（４）〜数式（６）に基づく計算によって、第ｎ補正画像信号Ｇｎ’を出力せずに、第ｎ原画像信号Ｇｎと第（ｎ−１）変換信号ＯＤＥを用いて、第２ルックアップテーブル（ＬＵＴ２）６６１から第ｎ補正画像信号Ｇｎ’を読み出して出力する。ただし、本発明はこれに限定されず、第２ルックアップテーブル（ＬＵＴ２）６６１は信号処理部６００の外部にあることもできる。
【００７６】
尚、本発明は、上述の実施例に限られるものではない。本発明の技術的範囲から逸脱しない範囲内で多様に変更実施することが可能である。
【産業上の利用可能性】
【００７７】
本発明は表示基板およびこれを含む液晶表示装置に利用される。
【図面の簡単な説明】
【００７８】
【図１】本発明の実施形態に係る液晶表示装置のブロック図である。
【図２】図１の一画素の等価回路図である。
【図３】図１の液晶表示装置の動作を説明するための信号図である。
【図４】本発明の一実施形態に係る信号処理部（信号処理装置）、これを含む液晶表示装置および液晶表示装置の駆動方法を説明するための概念図である。
【図５】本発明の一実施形態に係る信号処理部（信号処理装置）、これを含む液晶表示装置および液晶表示装置の駆動方法を説明するための概念図である。
【図６】本発明の一実施形態に係る信号処理部（信号処理装置）、これを含む液晶表示装置および液晶表示装置の駆動方法を説明するためのブロック図である。
【図７】図６の第１ルックアップテーブルを説明するための表である。
【図８】図６のエンコーダを説明するための表である。
【図９】図６のエンコーダを説明するための表である。
【図１０】本発明の他の実施形態に係る信号処理部（信号処理装置）、これを含む液晶表示装置および液晶表示装置の駆動方法を説明するためのブロック図である。
【符号の説明】
【００７９】
１０        液晶表示装置
１００      第１表示板
１５０      液晶
２００      第２表示板
３００      液晶パネル
４００      ゲートドライバ
５００      データドライバ
６００      信号処理部
６１０      第１メモリ
６２０      エンコーダ
６３０      第１ルックアップテーブル（ＬＵＴ１）
６４０      第２メモリ
６５０、６５１    デコーダ
６６１      第２ルックアップテーブル（ＬＵＴ２）
８００      階調電圧発生部
【図１】
0005391475.tif 000002
【図２】
0005391475.tif 000003
【図３】
0005391475.tif 000004
【図４】
0005391475.tif 000005
【図５】
0005391475.tif 000006
【図６】
0005391475.tif 000007
【図７】
0005391475.tif 000008
【図８】
0005391475.tif 000009
【図９】
0005391475.tif 000010
【図１０】
0005391475.tif 000011